(57)【要約】１個以上の貫通部（１８）を有する、部品担体すなわち基板（１２）のようなパネル（１０）が提供される。パネルの一方の表面（１４）に付いている光源（３４）と各貫通部（１８）の対応する端部とが光を貫通部の内部へ供給する。光は貫通部の他端部（２２）とパネルの対応する表面（１６）へ導かれる。貫通部は光ガイドとしての性能を改良するために、屈折性材料（２６）で被覆することができる。それに替えてまたはそれに加えて、貫通部は屈折性材料（２８）で満たすことができる。貫通部（１８）から出ていく光を拡散するために拡散器（３０）を設けることができる。貫通部がディスプレイまたはディスプレイの素子として働くように、必要なときに光源（３４）が選択された貫通部（１８）に光を供給する。
2006516764.tif 000002
【特許請求の範囲】
【請求項１】
基板と光源とを含み、基板と共に集積化されるディスプレイであって、
該基板は第１の表面と第２の表面とを有し、
該基板には少なくとも１個の該基板を通る貫通部が形成されていて、
該貫通部は側壁、入口開口部、および出口開口部を有し、
該光源は該入口開口部に付いていて、該光源は光が該入口開口部を経由して該貫通部に選択的に導かれるようになっている、
ディスプレイ。
【請求項２】
請求項１記載のディスプレイにおいて、前記基板は実質的に一様な厚さを有する、ディスプレイ。
【請求項３】
請求項１記載のディスプレイにおいて、前記基板は変化する断面を有する、ディスプレイ。
【請求項４】
請求項１記載のディスプレイにおいて、前記基板は印刷配線基板を含む、ディスプレイ。
【請求項５】
請求項１記載のディスプレイにおいて、前記基板はユーザインタフェイス・パネルを含む、ディスプレイ。
【請求項６】
請求項１記載のディスプレイにおいて、前記側壁は実質的に不透明な材料で覆われている、ディスプレイ。
【請求項７】
請求項６記載のディスプレイにおいて、前記実質的に不透明な材料は反射性材料である、ディスプレイ。
【請求項８】
請求項７記載のディスプレイにおいて、前記実質的に不透明な材料は塗料である、ディスプレイ。
【請求項９】
請求項７記載のディスプレイにおいて、前記反射性材料は反射性被膜である、ディスプレイ。
【請求項１０】
請求項１記載のディスプレイにおいて、更に、前記貫通部の内側に光ガイドを含む、ディスプレイ。
【請求項１１】
請求項１０記載のディスプレイにおいて、前記光ガイドは高屈折率の材料を含む、ディスプレイ。
【請求項１２】
請求項１１記載のディスプレイにおいて、前記高屈折率の材料は光透過性エポキシを含む、ディスプレイ。
【請求項１３】
請求項１０記載のディスプレイにおいて、前記基板は実質的に不透明な材料を含む、ディスプレイ。
【請求項１４】
請求項１０記載のディスプレイにおいて、前記基板は実質的に光を通さない材料を含む、ディスプレイ。
【請求項１５】
請求項１記載のディスプレイにおいて、更に、前記穴部の出口開口部に光拡散器を含む、ディスプレイ。
【請求項１６】
請求項１５記載のディスプレイにおいて、前記拡散器は前記出口開口部の上に加えた光透過性材料の層を含む、ディスプレイ。
【請求項１７】
請求項１記載のディスプレイにおいて、前記光源は発光ダイオードを含む、ディスプレイ。
【請求項１８】
請求項１記載のディスプレイにおいて、前記光源は電灯を含む、ディスプレイ。
【請求項１９】
請求項１記載のディスプレイにおいて、前記光源はＯＬＥＤを含む、ディスプレイ。
【請求項２０】
請求項１記載のディスプレイにおいて、前記光源はＰＬＥＤを含む、ディスプレイ。
【請求項２１】
請求項１記載のディスプレイにおいて、前記ディスプレイは単一の穴部を有する単素子ディスプレイを含む、ディスプレイ。
【請求項２２】
請求項１記載のディスプレイにおいて、前記ディスプレイは複数個の穴部を有する複数素子ディスプレイを含む、ディスプレイ。
【請求項２３】
請求項１記載のディスプレイにおいて、更に、前記基板上に搭載した少なくとも１個の電子部品を含む、ディスプレイ。
【請求項２４】
請求項２３記載のディスプレイにおいて、前記電子部品はセンサを含む、ディスプレイ。
【請求項２５】
請求項２４記載のディスプレイにおいて、前記センサは前記基板上に配置された少なくとも第１の電極を含む、ディスプレイ。
【請求項２６】
請求項２５記載のディスプレイにおいて、前記センサは更に前記基板上に配置された第２の電極を含む、ディスプレイ。
【請求項２７】
請求項２５記載のディスプレイにおいて、前記センサは更に前記第１の電極と電気的に結合している能動部品を含む、ディスプレイ。
【請求項２８】
請求項２５記載のディスプレイにおいて、前記センサは更に前記第１の電極と電気的に結合している集積制御回路を含む、ディスプレイ。
【請求項２９】
基板と光源とを含み、基板と共に集積化されるディスプレイであって、
該基板は第１の表面と第２の表面とを有し、
該基板には少なくとも１個の空洞部が形成されていて、
該空洞部は側壁、入口開口部、および閉端部を有し、
該光源は該入口開口部に付いていて、該光源は光が該入口開口部を経由して該空洞部に選択的に導かれるようになっている、
ディスプレイ。
【請求項３０】
請求項２９記載のディスプレイにおいて、前記基板は実質的に一様な厚さを有する、ディスプレイ。
【請求項３１】
請求項２９記載のディスプレイにおいて、前記基板は変化する断面を有する、ディスプレイ。
【請求項３２】
請求項２９記載のディスプレイにおいて、前記基板は印刷配線基板を含む、ディスプレイ。
【請求項３３】
請求項２９記載のディスプレイにおいて、前記基板はユーザインタフェイス・パネルを含む、ディスプレイ。
【請求項３４】
請求項２９記載のディスプレイにおいて、前記側壁は実質的に不透明な材料で覆われている、ディスプレイ。
【請求項３５】
請求項３４記載のディスプレイにおいて、前記実質的に不透明な材料は反射性材料である、ディスプレイ。
【請求項３６】
請求項３５記載のディスプレイにおいて、前記実質的に不透明な材料は塗料である、ディスプレイ。
【請求項３７】
請求項３５記載のディスプレイにおいて、前記反射性材料は反射性被膜である、ディスプレイ。
【請求項３８】
請求項２９記載のディスプレイにおいて、更に、前記貫通部の内側に光ガイドを含む、ディスプレイ。
【請求項３９】
請求項３８記載のディスプレイにおいて、前記光ガイドは高屈折率の材料を含む、ディスプレイ。
【請求項４０】
請求項３９記載のディスプレイにおいて、前記高屈折率の材料は光透過性エポキシを含む、ディスプレイ。
【請求項４１】
請求項３８記載のディスプレイにおいて、前記基板は実質的に不透明な材料を含む、ディスプレイ。
【請求項４２】
請求項３８記載のディスプレイにおいて、前記基板は実質的に光を通さない材料を含む、ディスプレイ。
【請求項４３】
請求項２９記載のディスプレイにおいて、更に、前記穴部の出口開口部に光拡散器を含む、ディスプレイ。
【請求項４４】
請求項４３記載のディスプレイにおいて、前記拡散器は前記出口開口部の上に加えた光透過性材料の層を含む、ディスプレイ。
【請求項４５】
請求項２９記載のディスプレイにおいて、前記光源は発光ダイオードを含む、ディスプレイ。
【請求項４６】
請求項２９記載のディスプレイにおいて、前記光源は電灯を含む、ディスプレイ。
【請求項４７】
請求項２９記載のディスプレイにおいて、前記光源はＯＬＥＤを含む、ディスプレイ。
【請求項４８】
請求項２９記載のディスプレイにおいて、前記光源はＰＬＥＤを含む、ディスプレイ。
【請求項４９】
請求項２９記載のディスプレイにおいて、前記ディスプレイは単一の穴部を有する単素子ディスプレイを含む、ディスプレイ。
【請求項５０】
請求項２９記載のディスプレイにおいて、前記ディスプレイは複数個の穴部を有する複数素子ディスプレイを含む、ディスプレイ。
【請求項５１】
請求項２９記載のディスプレイにおいて、更に、前記基板上に搭載した少なくとも１個のセンサを含む、ディスプレイ。
【請求項５２】
請求項５１記載のディスプレイにおいて、前記センサは前記基板上に配置された少なくとも第１の電極を含む、ディスプレイ。
【請求項５３】
請求項５２記載のディスプレイにおいて、前記センサは更に前記基板上に配置された第２の電極を含む、ディスプレイ。
【請求項５４】
請求項５２記載のディスプレイにおいて、前記センサは更に前記第１の電極と電気的に結合している能動部品を含む、ディスプレイ。
【請求項５５】
請求項５２記載のディスプレイにおいて、前記センサは更に前記第１の電極と電気的に結合している集積制御回路を含む、ディスプレイ。
【発明の詳細な説明】
【技術分野】
【０００１】
（関連出願に関するクロス・リフェレンス）
本出願は２００３年１月３０日に出願された米国仮特許出願第６０／４４３，６５１号に基づいて優先権を主張するものであり、その内容とそれが教えるものはここに組み入れられる。
【０００２】
（発明の背景）
（技術分野）
本発明は一般にマン／マシーン・インターフェイスに使用されるディスプレイに関するものであり、特にディスプレイを配線基板、装置パネルおよびその他の基板に集積化することに関するものである。
【背景技術】
【０００３】
（従来技術）
ディスプレイはコーヒーメーカや工業プレスのような種々の機械のユーザに、情報を視
覚的に伝達するのにしばしば使われる。このようなディスプレイは多くの形式で実現することができる。たとえば、単一ディスプレイは機械の状態（たとえば、電源入、運転中、停止）を指示するのに、１個以上の点灯器が選択的に光るという形式をとるであろう。もっと複雑なディスプレイは１個以上の複数セグメント素子またはドットマトリクス素子を含み、アルファベットと数字の情報（たとえば、温度、圧力、時間）を提供することができよう。従来型のディスプレイは典型的に、あらかじめ製造された部品やサブアセンブリを後で担体、すなわち基板、典型的に印刷配線基板または他の部品、または機械のパネル、に搭載することにより作られる。基板すなわち担体は他の電気／電子部品、たとえば近接センサ、を含むことができる。
【０００４】
従来型のディスプレイは複雑で、組み立てるのにコストがかかる。実際、ある種の応用には顧客仕様のディスプレイを必要とすることさえある。このような場合に従来型のディスプレイは低コストで作るのに適さない。また、従来型のディスプレイはかなり厚い。機械のパネルまたは他の基板にはめるとき、外形全体を低くする必要がある場合に、比較的薄い従来型ディスプレイですら取り付けるのに厚すぎることがある。
【発明の開示】
【課題を解決するための手段】
【０００５】
（発明の要約）
本発明は従来技術が持つこれらのおよびその他の欠点を克服するものであって、部品担体すなわち基板、たとえばディスプレイと共に使われる印刷配線基板または装置のパネル、にディスプレイを集積化することによって、個別のディスプレイ部品の必要性を排除するものである。センサのような他の部品もアセンブリの中に集積化することができる。米国特許第５，５９４，２２２号、第６，３１０，６１１号、および第６，３２０，２８２号に記載されているセンサはこの応用に好適であり、これらの特許文献が教えるものは参考文献として無制限にここに組み入れられる。
【０００６】
好ましい実施例では、基板は実質的に一様な厚さを有し、長さと幅に比べて比較的薄い。しかしながら、基板は他の形状と断面を有してもよい。すなわち、第１の表面と第２の表面は実質的に平行であるが、そのことが必要ではない。基板は典型的に印刷配線基板として具体化されるであろうが、多くの他の形もとりうるであろう。たとえば、基板は家庭用器具の外側パネルまたは車のダッシュパネルでもよい。
好ましい一実施例では、基板にそれを貫通する１個以上の貫通部が形成されている。各貫通部は側壁、入口開口部および出口開口部を有する。貫通部は任意の規則的な形または不規則な形、たとえば円形、正方形、または楕円形をとることができる。それはとりわけ任意の適当な鋳型、成型、または機械加工技術、たとえばＮＣ穴あけまたはパンチ、を使ってつくることができよう。光源が入口開口部に付いていて、光が入口開口部を通って貫通部に入るように選択的に向けさせるか、または光をそのように送り込むような形になっている。好ましい光源には電灯、ＬＥＤ、ＯＬＥＤ、ＰＬＥＤが含まれるが、他のものを使うこともできる。
【０００７】
貫通部は光ガイドとして働く。この目的のために、貫通部の側壁は反射性材料、例えば白い塗料または反射性金属、で被覆するのが好ましい。その結果、貫通部に導かれた光が貫通部を通って伝達され、基板内で散乱しない。他の実施例では、側壁は光が基板内に拡散するのを防ぐ任意の実質的に不透明の材料で被覆することができよう。更に、もしも基板が実質的に光を通さない材料で作られていたら、側壁は被覆しないままでもよいであろう。前述の実施例では、入口開口部から貫通部に入ってきた光は側壁で反射して、出口開口部にて貫通部から出ていく。
【０００８】
あるいは、貫通部は光ガイドの収納箱として働く。このような好ましい一実施例では、貫通部は高屈折率の材料、例えば良好な光学的性質を有する光透過性のエポキシ、で実質的に満たされている。この実施例では、入口開口部から屈折性材料に入ってくる光は屈折性材料から成る内壁に反射して、出口開口部にて屈折性材料から出ていく。このようにして屈折性材料は光ガイドとして作用する。他の実施例では別の光ガイドを貫通部の中に設けてもよい。
【０００９】
好ましい一実施例では、光拡散器が貫通部の出口開口部に付いている。拡散器は貫通部から出ていく光を拡散して、ユーザがディスプレイを読みやすいようにする。このような光拡散器は典型的に出口開口部の上に光透過性材料層を加えて具体化することができよう。
【００１０】
他の実施例では、基板に前述の貫通部に替えて（またはそれに加えて）１個以上の空洞部が形成されている。各空洞部は側壁と入口開口部を含む。各空洞部は基板を貫通していない。すなわち、各空洞部は出口開口部に替えて端部が閉じている。これらの空洞部は基板の中に鋳型で形成するか、または任意の適当な機械加工技術を用いて基板の中に形成する。この実施例では、少なくとも空洞部の閉端部と基板の第２の表面との間の基板の部分が透明、または半透明であり、光がその部分を通るようになっている。空洞部の側壁は、基板の中に光が散乱するのを防ぐために、前述のように被覆するのが好ましい。
【００１１】
あるいは、前述のように空洞部は屈折性材料で満たすことができる。この実施例では、空洞部の閉端部と基板の第２の表面との間の基板の部分は、前述の実施例における光拡散器の機能を果たす。
【００１２】
本発明によるディスプレイは従来型の単一素子ディスプレイまたは複数素子ディスプレイに似せることができる。典型的に、単一の貫通部または空洞部は状態指示灯のような単一素子ディスプレイ、または複数素子ディスプレイの個別の素子に似せるのに使うことができよう。たとえば、従来型の７素子ディスプレイのように７個の貫通部または空洞部を設ければ、従来型のディスプレイに似るであろう。他の構成も可能である。更に、同じ基板上に任意の実用的な数のディスプレイを設けることもできる。すなわち、本発明はいろいろなディスプレイの応用に好適である。
【００１３】
基板はマン／マシーン・インターフェイスに通常存在する他の部品、たとえばセンサと他の電気部品または電子部品を含むことができる。そのような部品をディスプレイに集積化することにより、更にコスト、複雑さ、最終的な部品のサイズを低減することができる。基板は機能的または純粋に装飾の目的で、装飾、テクスチャなどを含むことができる。
【実施例１】
【００１４】
（図示した実施例の詳細な説明）
図１Ａと図１Ｂは本発明による集積化ディスプレイ１０の好ましい一実施例を示す。ディスプレイ１０は第１の表面１４と第２の表面１６とを有する基板１２を含む。基板１２は事実上任意のタイプの基板、担体、パネルなどで具体化することができる。基板１２は平坦で均一の厚さを有するものとして描かれているが、事実上任意の他の形状をとることができる。たとえば、規則的または不規則的に厚さが変わるものでもよい。曲がっていても、波打っていても、あるいは任意の複雑な形状や断面を有するものでもよい。典型的な実施例では、基板１２は１／２オンス（約１４グラム）の銅層とＯＳＰまたはＨＡＳＬ仕上げを有するＦＲ４基板のような印刷配線基板でよい。他の実施例では、基板１２はコーヒーメーカまたは洗濯機のような家庭用器具の外側パネル、車のダッシュパネルまたはその他の内部パネル、あるいは任意の他の機械または装置の一部のパネルでもよい。これらは本発明に従ってディスプレイを集積化することができる基板のほんの数例にすぎない。更に、第１の表面１４と第２の表面１６とは一般に向き合った平行な面として描かれているが、第１の表面１４と第２の表面１６とは他の関係に配置してもよい。たとえば、第１の表面１４と第２の表面１６とをお互いに直角に配置してもよい。
【００１５】
図１Ｂに示すように、基板１２は２個の長方形の貫通部１８を含む。他の実施例では、基板１２はこのような貫通部１８を２個以上含むことができ、その形状は制限なく、円形、四角形、楕円形または自由形を含む規則的または不規則的でよい。貫通部１８はドリル、鋳型、パンチまたはその他の適当な技術により形成することができる。各貫通部１８は入口開口部２０、出口開口部２２、および側壁２４を含む。
【００１６】
貫通部１８は光ガイドまたは光ガイドの収納箱として働く。光は光源から入口開口部２０を通って入ってくる。光は光ガイドの内壁に反射して、最後には出口開口部から出ていく。
【００１７】
好ましい一実施例では、図１Ａに示すように、貫通部１８は光ガイドとして働く。貫通部１８が光ガイドとして最良に働くことができるように、側壁２４は光を通さない性質を有し、光が基板１２に当たって散乱したり基板中を拡散したりするのを防ぐことが好ましい。この目的のために、側壁２４は図１Ａに示すように反射性被覆２６でメッキするのが好ましい。他の実施例では、側壁２４は、たとえば白い塗料または他の不透明な材料で被覆することができる。ひょっとすると、側壁２４は被覆しないままでもよいこともある。このような実施例では、基板１２は本来的に光を反射する、または実質的に光を通さない材料で作ることが好ましかろう。なぜならば、そのような材料ならば、基板を介した光散乱を軽減する傾向にあるだろうからである。
【実施例２】
【００１８】
他の実施例では、図２に示すように、貫通部１８は光ガイドの収納箱として働く。この実施例では、貫通部１８は屈折率の高いエポキシ材料２８で充填されていて、エポキシ材料が光ガイドを構成している。この種の材料を使うと、光が貫通部１８を通って基板１２の第１の側から第２の側へ行くことができるが、基板１２の中へ光が分光するのを妨げる。エポキシ材料２８に替えて、望ましい光学的、機械的、電気的特性を有する他の材料を使うことができる。他の実施例では、図示してないが、光パイプのような別の光ガイドを貫通部１８の中に設置してもよい。前述の実施例では、側壁２４は図１Ａに関して説明したように、被覆することができるが、その必要はない。穴あきの別の光パイプアセンブリを貫通部１８の中に設置して、同様に光ガイドとして使うこともできよう。
【００１９】
本発明によるディスプレイは出口開口部２２の所またはその近くに拡散器３０を含むことができる。拡散器３０の目的は、さもなくば集中するかもしれない貫通部１８から出る光を拡散して、ユーザがディスプレイを見やすくすることである。この目的のために、拡散器３０は任意の各種の光透過性材料で作ることができる。好ましい実施例では、図１Ａと図２に示すように、拡散器３０は第２の表面１６の実質的な一部であるか、または出口開口部２２近くの第２の表面１６の小さな部分を単に覆ったものでもよい。拡散器３０はディスプレイ（および基板に付属する任意の他の部品）の機能性を高めるために、または単なる装飾目的のために、刻印または他の飾り（図示せず）を施すことができる。拡散器３０はたとえば、帯状物、覆い、ガラス片、または貫通部１８から出る光が拡散するのを助ける任意のその他の構造として具体化することができる。ディスプレイ１０は更に、図１Ａ、図１Ｂ、図２に示すように、入口開口部２０に光を導くのに適合した光源３４を含む。好ましくは、光源３４として入口開口部２０に近くで、基板１２の第１の表面１４に薄いＬＥＤを装着する。他の実施例では、光源３４は電灯、ＥＬ、ＯＬＥＤ、ＰＬＥＤ、蛍光表示管でもよい。光源ＬＥＤは貫通部１８に関して特定の向きで描かれているが、他の向きも可能である。
【実施例３】
【００２０】
図３に示す他の実施例では、基板１２には貫通部１８に替えて（またはそれに加えて）１個以上の空洞部１８Ａが形成されている。空洞部１８Ａは貫通部１８と類似しており、本質的に貫通部１８と同じ働きをする。違いは空洞部１８Ａが基板１２を完全に貫通していないことである。その代わりに、図１Ａ、図１Ｂ、図２の実施例で出口開口部２２があった所に、薄い基板材料層１２Ａが残っている。すなわち、各空洞部１８Ａは入口開口部２０、側壁２４および閉端部３２を含む。空洞部１８Ａの側壁２４は、空洞部１８Ａが光ガイドとして働くことができるように、前述のように、反射性またはその他の不透明の材料（図示せず）で被覆するができる。あるいは、空洞部１８Ａは前述のように、光ガイドとして働くことができる屈折性の材料（図示せず）で充填することができる。これらの実施例では、光が伝達されてユーザに見えるように、少なくとも薄い基板材料層１２Ａは透明または半透明である。すなわち、薄い基板材料層１２Ａは拡散器として働き、図１Ａ、図１Ｂ、図２に示して前述したように、拡散器３０のような別の拡散器の必要をなくしている。にもかかわらず、第２の表面１６の上に別の拡散器３０を積層してもよいし、スクリーン印刷してもよい。
【実施例４】
【００２１】
図４に示す更に他の実施例において、光源は担体、たとえば印刷配線基板、上に、光源を含む基板から離れて配置される。ここで、光源３４、たとえば面実装ＬＥＤ、は担体１１２Ａ上に配置されるが、担体１１２Ａは前述のように、センサのような他の部品を含むことができる。基板１１２Ｂは前述のように空洞部１８Ａを含む。他の実施例では、基板１１２Ｂは空洞部１８Ａに加えて、またはその代わりに貫通部を含んでもよい。担体３４上に載っている光源３４が基板１１２Ｂ内の空洞部１８Ａ（かつまたは貫通部）と実質的に並ぶように、接着剤または適当な貼り付け手段を用いて、担体１１２Ａを基板１１２Ｂに貼り付ける。前述のように、拡散器１３０を基板１１２Ｂのユーザが見る面に（ここでは対向面に）任意選択的に付けることができる。
【００２２】
実際に、７素子のディスプレイを作るには、（パンチまたはＮＣ穴あけのように）機械加工し、または７素子に対応する貫通部を有する基板（印刷配線基板のような）を鋳型で成型し、既存のメッキ技術を使って貫通部の側壁をメッキし、適当な技術（既知の面実装部品プロセス装置を使うリフロー半田付け技術のような）を用いて、各貫通部の入口開口部の近くで出口開口部の反対側に適当な光源（適当な色の面実装ＬＥＤのような）を付ければよかろう。また、任意の拡散器すなわち帯状物を出口開口部の近くに設ければよい。そのほかのユーザインターフェイス部品（センサまたはその他の部品のような）も同時にまたは同じ製造プロセス中の１ステップとして、基板に実装することができよう。こうして、全体の製造コストを削減し、従来のディスクリート部品を使って作るよりも小さいサイズのインターフェイスを作り出すことができよう。他の実施例では、貫通部はメッキの代わりに、適当な屈折率を有する、エポキシのような材料で満たすことができよう。更に他の実施例では、基板は貫通部の代わりに空洞部を機械加工または鋳型成型により形成することができよう。そして貫通部は屈折性の材料で満たすか、またはその側壁をメッキすればよい。
【００２３】
本発明は請求の範囲の記載にのみ制限されるのであって、説明した実施例に限定されるのではない。当業者なら本発明の範囲から逸脱することなく、上述の実施例に修正を加えることができよう。
【図面の簡単な説明】
【００２４】
【図１Ａ】本発明の一実施例の断面図。
【図１Ｂ】本発明の一実施例の平面図。
【図２】本発明の他の実施例の断面図。
【図３】本発明の更に他の実施例の断面図。
【図４】本発明の更なる他の実施例の断面図。
2006516764.tif 000003
【図２】
2006516764.tif 000004
【図３】
2006516764.tif 000005
【図４】
2006516764.tif 000006
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
基板と少なくとも１個の発光装置とを含み、集積化される薄いディスプレイ装置であって、
該基板は第１の表面と第２の表面とを有し、
該基板には該第１の表面から該第２の表面へ該基板を通って延びている少なくとも１個の貫通部が形成されていて、
該各貫通部は側壁、該第１の表面により形作られる入口開口部、および該第２の表面により形作られる出口開口部を有し、
該各発光装置は対応する貫通部の入口開口部の近くで該基板の該第１の表面に装着されていて、該各発光装置は光が該入口開口部を経由して該貫通部に選択的に導かれるようになっていて、
該各発光装置は該基板上に配置された対応する導電体に電気的に接続されている、
ディスプレイ装置。
【請求項２】
請求項１記載の装置において、前記基板は実質的に一様な厚さを有する、ディスプレイ装置。
【請求項３】
請求項１記載の装置において、前記基板は変化する断面を有する、ディスプレイ装置。
【請求項４】
請求項１記載の装置において、前記基板は印刷配線基板を含む、ディスプレイ装置。
【請求項５】
請求項１記載の装置において、前記基板はユーザインターフェイス・パネルを含む、ディスプレイ装置。
【請求項６】
請求項１記載の装置において、前記側壁は実質的に不透明な材料で覆われている、ディスプレイ装置。
【請求項７】
請求項６記載の装置において、前記実質的に不透明な材料は反射性材料である、ディスプレイ装置。
【請求項８】
請求項７記載の装置において、前記実質的に不透明な材料は塗料である、ディスプレイ装置。
【請求項９】
請求項７記載の装置において、前記反射性材料は反射性被膜である、ディスプレイ装置。
【請求項１０】
請求項１記載の装置において、更に、前記貫通部の内側に光ガイドを含む、ディスプレイ装置。
【請求項１１】
請求項１０記載の装置において、前記光ガイドは高屈折率の材料を含む、ディスプレイ装置。
【請求項１２】
請求項１１記載の装置において、前記高屈折率の材料は光透過性エポキシを含む、ディスプレイ装置。
【請求項１３】
請求項１０記載の装置において、前記基板は実質的に不透明な材料を含む、ディスプレイ装置。
【請求項１４】
請求項１０記載の装置において、前記基板は実質的に光を通さない材料を含む、ディスプレイ装置。
【請求項１５】
請求項１記載の装置において、更に、前記貫通部の出口開口部に光拡散器を含む、ディスプレイ装置。
【請求項１６】
請求項１５記載の装置において、前記拡散器は前記出口開口部の上に加えた光透過性材料の層を含む、ディスプレイ装置。
【請求項１７】
請求項１記載の装置において、前記発光装置は発光ダイオードを含む、ディスプレイ装置。
【請求項１８】
請求項１記載の装置において、前記発光装置は電灯を含む、ディスプレイ装置。
【請求項１９】
請求項１記載の装置において、前記発光装置はOLEDを含む、ディスプレイ装置。
【請求項２０】
請求項１記載の装置において、前記発光装置はPLEDを含む、ディスプレイ装置。
【請求項２１】
請求項１記載の装置において、前記ディスプレイは単一の貫通部が形成された単素子ディスプレイを含む、ディスプレイ装置。
【請求項２２】
請求項１記載の装置において、前記ディスプレイは複数個の貫通部が形成された複数素子ディスプレイを含む、ディスプレイ装置。
【請求項２３】
請求項１記載の装置において、更に、前記基板上に搭載した少なくとも１個の電子部品を含む、ディスプレイ装置。
【請求項２４】
請求項２３記載の装置において、前記電子部品はセンサを含む、ディスプレイ装置。
【請求項２５】
請求項２４記載の装置において、前記センサは前記基板上に配置された少なくとも第１の電極を含む、ディスプレイ装置。
【請求項２６】
請求項２５記載の装置において、前記センサは更に前記基板上に配置された第２の電極を含む、ディスプレイ装置。
【請求項２７】
請求項２５記載の装置において、前記センサは更に前記第１の電極と電気的に結合している能動部品を含む、ディスプレイ装置。
【請求項２８】
請求項２５記載の装置において、前記センサは更に前記第１の電極と電気的に結合している集積制御回路を含む、ディスプレイ装置。
【請求項２９】
基板と少なくとも１個の発光装置とを含み、集積化される薄いディスプレイ装置であって、
該基板は第１の表面と第２の表面とを有し、
該基板には少なくとも１個の空洞部が形成されていて、
該空洞部は実質的に不透明の側壁、該第１の表面により形作られる入口開口部、および閉端部を有し、
該各発光装置は対応する空洞部の入口開口部の近くで該基板の該第１の表面に装着されていて、該各発光装置は光が該入口開口部を経由して該貫通部に選択的に導かれるようになっている、
ディスプレイ装置。
【請求項３０】
請求項２９記載の装置において、前記基板は実質的に一様な厚さを有する、ディスプレイ装置。
【請求項３１】
請求項２９記載の装置において、前記基板は変化する断面を有する、ディスプレイ装置。
【請求項３２】
請求項２９記載の装置において、前記基板は印刷配線基板を含む、ディスプレイ装置。
【請求項３３】
請求項２９記載の装置において、前記基板はユーザインタフェイス・パネルを含む、ディスプレイ装置。
【請求項３４】
請求項２９記載の装置において、前記側壁は実質的に不透明な材料で覆われている、ディスプレイ装置。
【請求項３５】
請求項３４記載の装置において、前記実質的に不透明な材料は反射性材料である、ディスプレイ装置。
【請求項３６】
請求項３５記載の装置において、前記実質的に不透明な材料は塗料である、ディスプレイ装置。
【請求項３７】
請求項３５記載の装置において、前記反射性材料は反射性被膜である、ディスプレイ装置。
【請求項３８】
請求項２９記載の装置において、更に、前記貫通部の内側に光ガイドを含む、ディスプレイ装置。
【請求項３９】
請求項３８記載の装置において、前記光ガイドは高屈折率の材料を含む、ディスプレイ装置。
【請求項４０】
請求項３９記載の装置において、前記高屈折率の材料は光透過性エポキシを含む、ディスプレイ装置。
【請求項４１】
請求項３８記載の装置において、前記基板は実質的に不透明な材料を含む、ディスプレイ装置。
【請求項４２】
請求項３８記載の装置において、前記基板は実質的に光を通さない材料を含む、ディスプレイ装置。
【請求項４３】
請求項２９記載の装置において、更に、前記空洞部の前記閉端部に付いている光拡散器を含む、ディスプレイ装置。
【請求項４４】
請求項４３記載の装置において、前記拡散器は前記空洞部の前記閉端部の上に加えた光透過性材料の層を含む、ディスプレイ装置。
【請求項４５】
請求項２９記載の装置において、前記発光装置は発光ダイオードを含む、ディスプレイ装置。
【請求項４６】
請求項２９記載の装置において、前記発光装置は電灯を含む、ディスプレイ装置。
【請求項４７】
請求項２９記載の装置において、前記発光装置はOLEDを含む、ディスプレイ装置。
【請求項４８】
請求項２９記載の装置において、前記発光装置はPLEDを含む、ディスプレイ装置。
【請求項４９】
請求項２９記載の装置において、前記ディスプレイは単一の空洞部が形成された単素子ディスプレイを含む、ディスプレイ装置。
【請求項５０】
請求項２９記載の装置において、前記ディスプレイは複数個の空洞部が形成された複数素子ディスプレイを含む、ディスプレイ装置。
【請求項５１】
請求項２９記載の装置において、更に、前記基板上に搭載した少なくとも１個のセンサを含む、ディスプレイ装置。
【請求項５２】
請求項５１記載の装置において、前記センサは前記基板上に配置された少なくとも第１の電極を含む、ディスプレイ装置。
【請求項５３】
請求項５２記載の装置において、前記センサは更に前記基板上に配置された第２の電極を含む、ディスプレイ装置。
【請求項５４】
請求項５２記載の装置において、前記センサは更に前記第１の電極と電気的に結合している能動部品を含む、ディスプレイ装置。
【請求項５５】
請求項５２記載の装置において、前記センサは更に前記第１の電極と電気的に結合している集積制御回路を含む、ディスプレイ装置。
【手続補正２】
【補正対象書類名】明細書
【補正対象項目名】００２２
【補正方法】変更
【補正の内容】
【００２２】
実際に、７素子のディスプレイを作るには、（パンチまたはＮＣ穴あけのように）機械加工し、または７素子に対応する貫通部を有する基板（印刷配線基板のような）を鋳型で成型し、既存のメッキ技術を使って貫通部の側壁をメッキし、適当な技術（既知の面実装部品プロセス装置を使うリフロー半田付け技術のような）を用いて、各貫通部の入口開口部の近くに適当な光源（適当な色の面実装ＬＥＤのような）を付ければよかろう。また、任意の拡散器すなわち帯状物を出口開口部の近くに設ければよい。そのほかのユーザインターフェイス部品（センサまたはその他の部品のような）も同時にまたは同じ製造プロセス中の１ステップとして、基板に実装することができよう。こうして、全体の製造コストを削減し、従来のディスクリート部品を使って作るよりも小さいサイズのインターフェイスを作り出すことができよう。たとえば、図１Ｂに示すように、センサ４０を基板１２の第１の表面１４に搭載することができる。センサはディスプレイ１０の他の部分にも搭載することができよう。図示したセンサ４０は第１の電極４２、第２の電極４４、および能動部品または集積回路４６を含む。図示したセンサの代わりに、あるいはそれに加えて、他のタイプのセンサまたは部品を使うこともできよう。他の実施例では、貫通部はメッキの代わりに、適当な屈折率を有する、エポキシのような材料で満たすことができよう。更に他の実施例では、基板は貫通部の代わりに空洞部を機械加工または鋳型成型により形成することができよう。そして貫通部は屈折性の材料で満たすか、またはその側壁をメッキすればよい。
【手続補正３】
【補正対象書類名】図面
【補正対象項目名】図１Ｂ
【補正方法】変更
【補正の内容】
【図１Ｂ】
2006516764.tif 000007
【国際調査報告】
2006516764.tif 000008
2006516764.tif 000009
2006516764.tif 000010